(57)【特許請求の範囲】
【請求項１】
ＬＥＤ駆動制御信号を出力する制御回路が搭載される第１基板と信号線で接続される第２基板に搭載される発光素子駆動回路であって、
ＬＥＤ駆動制御信号に基づいて起動停止し、起動中にＬＥＤ駆動信号を出力するパルス生成部と、
パルス生成部に基準パルス信号を供給するＬＥＤ用発振器と、
ＬＥＤ駆動信号に基づいて発光素子の点滅駆動を行うＬＥＤドライバ部と、
を備えることを特徴とする発光素子駆動回路。
【請求項２】
請求項１に記載の発光素子駆動回路において、
ＬＥＤ用発振器は、
第１基板に搭載される制御回路に用いられる制御用発振器に比べて基準パルス信号の周波数精度が低い回路であることを特徴とする発光素子駆動回路。
【請求項３】
請求項１または請求項２に記載の発光素子駆動回路において、
発光素子のアノード電極の電圧に基づいて昇圧を行う昇圧回路を備え、
ＬＥＤドライバ部と昇圧回路とは、
ＬＥＤ駆動信号のＬ期間中にスリープ状態であることを特徴とする発光素子駆動回路。
【請求項４】
制御回路が搭載される第１基板と、
第１基板と信号線で接続され、発光素子を駆動する発光素子駆動回路が搭載される第２基板と、
を備える携帯電話であって、
発光素子駆動回路は、
ＬＥＤ駆動制御信号に基づいて起動停止し、起動中にＬＥＤ駆動信号を出力するパルス生成部と、
パルス生成部に基準パルス信号を供給するＬＥＤ用発振器と、
ＬＥＤ駆動信号に基づいて発光素子の点滅駆動を行うＬＥＤドライバ部と、
を有することを特徴とする携帯電話。
【請求項５】
請求項４に記載の携帯電話において、
ＬＥＤ駆動制御信号は、携帯電話の不在着信時に出力される信号であることを特徴とする携帯電話。
【発明の詳細な説明】
【技術分野】
【０００１】
本発明は、発光素子駆動回路及び携帯電話に係り、特に、２つの基板を備える装置に設けられる発光素子駆動回路及びその発光素子駆動回路を含む携帯電話に関する。
【背景技術】
【０００２】
携帯電話において、電話、メール等の着信時にユーザーが対応することができなかった場合、不在着信の通知として発光素子（例えば、ＬＥＤ）を点滅させることがある。特許文献１には、例えば、携帯機器に搭載される発光素子の駆動装置として、発光素子と発光素子を定電流駆動する駆動部とを有する光源部と、携帯機器のシステム全体を制御する制御部と、光源部及び制御部に電力を供給可能な電池電源と、電池電源によって充電され光源部に電力を供給する蓄電素子とを備えているものが開示されている。
【０００３】
【特許文献１】特開２００７−１０８５４５号公報
【発明の開示】
【発明が解決しようとする課題】
【０００４】
特許文献１の構成において、ＬＥＤを点滅させるために、その都度、携帯機器に搭載されるＣＰＵを起動させるとＣＰＵに電流が流れるため消費電力が問題となる。そのため、時計等用に常時発振している発振器を利用したパルス作成回路によってパルスを作成し、そのパルスを用いてＬＥＤ駆動装置等を制御することも考えられる。
【０００５】
ところで、近年の携帯機器として、例えば、携帯電話では、折りたたみ式・スライド式といった２つのパーツに分けられ、その２つのパーツにそれぞれ基板が配置されるセット構成が主流となっている。この場合、ＣＰＵや発光素子やパルス生成回路をどのように配置するかがポイントとなり、各電子部品の配置状態によっては、携帯電話の小型化が困難となる場合がある。
【０００６】
本発明の目的は、携帯電話の電子部品が、より適切に２つの基板に分けて配置されることに貢献する発光素子駆動回路及びその発光素子駆動回路を含む携帯電話を提供することである。
【課題を解決するための手段】
【０００７】
本発明に係る発光素子駆動回路は、ＬＥＤ駆動制御信号を出力する制御回路が搭載される第１基板と信号線で接続される第２基板に搭載される発光素子駆動回路であって、ＬＥＤ駆動制御信号に基づいて起動停止し、起動中にＬＥＤ駆動信号を出力するパルス生成部と、パルス生成部に基準パルス信号を供給するＬＥＤ用発振器と、ＬＥＤ駆動信号に基づいて発光素子の点滅駆動を行うＬＥＤドライバ部と、を備えることを特徴とする。
【０００８】
また、本発明に係る発光素子駆動回路において、ＬＥＤ用発振器は、第１基板に搭載される制御回路に用いられる制御用発振器に比べて基準パルス信号の周波数精度が低い回路であることが好ましい。
【０００９】
また、本発明に係る発光素子駆動回路において、発光素子のアノード電極の電圧に基づいて昇圧を行う昇圧回路を備え、ＬＥＤドライバ部と昇圧回路とは、ＬＥＤ駆動信号のＬ期間中にスリープ状態であることが好ましい。
【００１０】
本発明に係る携帯電話は、制御回路が搭載される第１基板と、第１基板と信号線で接続され、発光素子を駆動する発光素子駆動回路が搭載される第２基板と、を備える携帯電話であって、発光素子駆動回路は、ＬＥＤ駆動制御信号に基づいて起動停止し、起動中にＬＥＤ駆動信号を出力するパルス生成部と、パルス生成部に基準パルス信号を供給するＬＥＤ用発振器と、ＬＥＤ駆動信号に基づいて発光素子の点滅駆動を行うＬＥＤドライバ部と、を有することを特徴とする。
【００１１】
また、本発明に係る携帯電話において、ＬＥＤ駆動制御信号は、携帯電話の不在着信時に出力される信号であることが好ましい。
【発明の効果】
【００１２】
上記構成の少なくとも１つにより、パルス生成部は、第２基板に設けられた発光素子の駆動を行う発光素子駆動回路に配置される。よって、パルス生成部が第１基板に設けられた場合に比べて、第１基板と第２基板とを接続する接続線を削減することが可能となる。したがって、より適切に、２つの基板に分けて配置されることに貢献する発光素子駆動回路及びその発光素子駆動回路を含む携帯電話を提供することができる。
【発明を実施するための最良の形態】
【００１３】
以下に、図面を用いて本発明に係る実施の形態につき詳細に説明する。なお、以下では、発光素子は携帯電話に用いられるものとして説明するが、発光素子を用いたその他の電子機器に用いられるものであってもよい。
【００１４】
図１は、携帯電話５を示す図である。携帯電話５は、折りたたみ式の２パーツ構成で１つのパーツである液晶の表示部を有する液晶部７と、もう１つのパーツである携帯電話５の操作を行う操作部９と、２つのパーツである液晶部７と操作部９とを接続する接続部８とを備える。
【００１５】
液晶部７は、不在通知を知らせるＬＥＤ１１と、ＬＥＤ１１を駆動する発光素子駆動回路１０が設けられる第２基板部２０と、図示していない液晶素子を組み込んだ表示部である画像表示装置及びその駆動回路とを含んで構成される。ＬＥＤ１１は、カソード（陰極）に対し、アノード（陽極）に順方向に電圧を加えた際に発光する発光素子である。第２基板部２０の詳細な説明については後述する。
【００１６】
操作部９は、携帯電話５の制御を行う回路が搭載される第１基板部４０と、携帯電話５の操作を行う操作ボタンとを含んで構成される。操作部９は、携帯電話５の操作を行うことができ、例えば、電話番号を入力して発信する等の操作機能を有する。第１基板部４０の詳細な説明については後述する。
【００１７】
接続部８は、第１基板部４０と第２基板部２０とを接続するケーブル部３０を含んで構成される。ケーブル部３０は、複数のケーブル線から構成され、それぞれのケーブルが第２基板部２０と第１基板部４０とを電気的に接続している。ケーブル部３０には、例えば、ＦＰＣ（Ｆｌｅｘｉｂｌｅ  Ｐｒｉｎｔｅｄ  Ｃｉｒｃｕｉｔｓ）が用いられる。
【００１８】
携帯電話５において、ケーブル部３０と、第１基板部４０と、発光素子駆動回路１０を含んだ第２基板部２０と、を含んで構成されるものが発光素子駆動装置１００に相当する。第１基板部４０は、携帯電話５を制御するための制御回路を配置するための第１基板４２と、第１基板４２に配置されるＣＰＵ４４と、制御用発振器４６とを含んで構成される。第２基板部２０は、画像表示装置に関する電子回路が配置される第２基板２９と、第２基板２９に配置される発光素子駆動回路１０と、図示していない画像表示装置の駆動回路とを含んで構成される。まず、第１基板部４０について説明を行い、その後、第２基板部２０について説明する。
【００１９】
図２は、発光素子駆動回路１０を含んだ発光素子駆動装置１００を示すブロック図である。ＣＰＵ４４は、携帯電話５全体の機能を制御するマイクロコンピュータである。ＣＰＵ４４は、第１基板４２上に設けられ、後述する制御用発振器４６や図示していないメモリ回路等と電気的に接続される。ここでは、特に、ＣＰＵ４４は、携帯電話５において、電話、メール等の着信時に対応することができなかった場合に、不在着信の通知としてＬＥＤ１１の点滅駆動を行うための基準となるＬＥＤ駆動信号を発生するパルス生成部２４に対するＬＥＤ駆動制御信号を出力する機能を有する。
【００２０】
制御用発振器４６は、持続した交流を作る電気回路である。制御用発振器４６には、水晶振動子が用いられる。水晶振動子は、発振回路を構成することでパルスを出力することができる。制御用発振器４６は、図示されていない時計回路等の基準のパルスとして用いられるため、周波数精度や周波数の安定性が必要である。制御用発振器４６とＣＰＵ４４とは電気的に接続される。
【００２１】
発光素子駆動回路１０は、ＬＥＤ用発振器２２と、パルス生成部２４と、昇圧回路２６と、ＬＥＤドライバ部２８とを含んで構成される。
【００２２】
ＬＥＤ用発振器２２は、固体振動子等を用いた発振回路である。ＬＥＤ用発振器２２は、後述するＬＥＤ駆動信号５２の生成のみに用いられ、制御用発振器４６に比べて周波数精度があまり高くなくてもよく、周波数の安定性の高さも必要とされない。したがって、制御用発振器４６に比べて、安価で小型化された発振回路で構成することができる。ＬＥＤ用発振器２２は、後述するパルス生成部２４と接続される。なお、ＬＥＤ用発振器２２は、常時発振する回路であってもよく、またＣＰＵ４４の指令によって発振を開始する回路であってもよい。
【００２３】
昇圧回路２６は、ＬＥＤ１１に接続され、ＬＥＤ１１のアノード側端子の電圧に基づいて昇圧を行い、ＬＥＤ１１に電圧を供給する機能を有する。昇圧回路２６は、ＬＥＤ１１と、後述するパルス生成部２４とに接続される。
【００２４】
ＬＥＤドライバ部２８は、ＬＥＤ１１を電流で駆動する電流回路を設けた回路である。ＬＥＤドライバ部２８によって、ＬＥＤ１１に電流が流された場合にはＬＥＤ１１が点灯し、ＬＥＤ１１に電流が流されなくなった場合にはＬＥＤ１１が消灯する。また、ＬＥＤドライバ部２８に設けられた電流回路の電流値を変更することによって、ＬＥＤ１１の輝度を変更することも可能である。ＬＥＤドライバ部２８は、ＬＥＤ１１と、後述するパルス生成部２４と接続される。
【００２５】
図３は、ＬＥＤ駆動制御信号５０と、基準パルス信号５１と、ＬＥＤ駆動信号５２と、パルス生成部起動信号５３とを示した図である。図３は、横軸に時間を取り縦軸に電圧を取っている。ＬＥＤ駆動制御信号５０は、携帯電話５において着信があって、ロー（Ｌ）からハイ（Ｈ）へと一度立ち上げられた信号が、着信不在であったためにハイ（Ｈ）からロー（Ｌ）へと立ち下げられ、その後、ユーザーが操作部９のボタンを押して不在着信の確認等を行った際、もう一度ロー（Ｌ）からハイ（Ｈ）に立ち上がった後にハイ（Ｈ）からロー（Ｌ）に再び立ち下がる信号である。ＬＥＤ駆動制御信号５０は、ＣＰＵ４４から発光素子駆動回路１０に伝達される。パルス生成部起動信号５３は、ハイ（Ｈ）の期間はパルス生成部２４が起動中であり、ロー（Ｌ）の期間は、パルス生成部２４が停止中である。ここで、パルス生成部起動信号５３は、ＬＥＤ駆動制御信号５０がＨからＬ（不在着信時）となったときに連動してハイ（Ｈ）となり、その次にＬＥＤ駆動制御信号５０がＨからＬ（不在着信確認時）となったときに連動してロー（Ｌ）となる。
【００２６】
基準パルス信号５１は、ＬＥＤ用発振器２２によって出力される基準パルス信号であって、例えば、６４ｋＨｚの周期でハイ（Ｈ）・ロー（Ｌ）と切り替わる信号である。
【００２７】
ＬＥＤ駆動信号５２は、昇圧回路２６とＬＥＤドライバ部２８とに対し出力される信号であって、上述したように、昇圧回路２６とＬＥＤドライバ部２８の機能によって、ハイ（Ｈ）期間にはＬＥＤ１１が点灯し、ロー（Ｌ）期間にはＬＥＤ１１が消灯される信号である。なお、ここでＬＥＤ駆動信号５２がハイ（Ｈ）期間のときは、昇圧回路２６とＬＥＤドライバ部２８は通常動作状態であり、ＬＥＤ駆動信号５２がロー（Ｌ）期間のときは、昇圧回路２６とＬＥＤドライバ部２８はスリープ状態である。
【００２８】
パルス生成部２４は、ＬＥＤ用発振器２２により出力される基準パルス信号５１を入力として受け取る。そして、パルス生成部２４は、ＬＥＤ駆動制御信号５０の立ち下がり後の基準パルス信号５１における次の立ち上がりをトリガーとして、図３に示されるＬＥＤ駆動信号５２を生成する。なお、基準パルス信号５１の周波数としては、例えば、６４ｋＨｚのパルス信号が用いられると、ＬＥＤ駆動信号５２は、例えば、５秒に１回立ち上がるようなパルス信号となる。
【００２９】
上記の構成の作用について説明する。ＬＥＤ駆動信号５２は、上記のように、例えば、５秒に１回立ち上がるようなパルス信号であって、このパルス信号のハイ（Ｈ）、ロー（Ｌ）に応じてＬＥＤ１１を点灯・消灯することにより、携帯電話５の不在着信時の通知を行うことができる。ここで、図４は、比較するために従来の実施の形態における発光素子駆動装置１５０を示すブロック図である。図４は、パルス生成部２４が、図２のように第２基板２９ではなく、第１基板４２に設けられている。この場合、パルス生成部２４は、ＬＥＤ用発振器２２の代わりに制御用発振器４６の出力を受けてパルスを生成することができる。しかし、この場合、パルスを昇圧回路２６とＬＥＤドライバ部２８に入力する必要があるため、第２基板２９と第１基板４２とを接続するケーブル部３１が１本余計に必要となる。
【００３０】
これに対し、図３に示される発光素子駆動装置１００は、発光素子駆動装置１５０に示されるケーブル部３１に比べてケーブル数を削減することが可能であり、携帯電話５の小型化に貢献することができる。なお、ＬＥＤ用発振器２２は、制御用発振器４６に比べてパルス生成精度が低い回路であって小型化された回路であるため、第２基板２９におけるＬＥＤ用発振器２２の占有率を下げることができる。
【００３１】
また、パルス生成部２４を第１基板に設けた場合には、ＣＰＵ４４をはじめノイズ発生源となる回路の影響を受けるが、第２基板の発光素子駆動回路１０に設けることでノイズの影響を抑制することができる。また、ＬＥＤ駆動信号５２は、上記のように、例えば、５秒に１回立ち上がるようなパルス信号であり、ロー（Ｌ）期間のときは、昇圧回路２６とＬＥＤドライバ部２８はスリープ状態であるから消費電力削減に貢献できる。
【００３２】
図５は、他の実施の形態におけるＬＥＤ駆動制御信号と基準パルス信号とＬＥＤ駆動信号を示した図である。図５は、図３に示されるＬＥＤ駆動制御信号５０、ＬＥＤ駆動信号５２、パルス生成部起動信号５３は同じ信号であり、基準パルス信号５４だけが相違する。基準パルス信号５４は、ＣＰＵ４４からのＬＥＤ駆動制御信号５０の立ち下がりに応じて発振を開始し、その立ち上がりに連動してＬＥＤ駆動信号５２が生成される。このＬＥＤ駆動信号５２を用いることで、携帯電話５の不在着信を通知することもできる。ここで、基準パルス信号５４は、ＬＥＤ駆動制御信号５０の立ち下がりを検知した場合にのみ発振するため、消費電力の抑制に貢献することができる。
【図面の簡単な説明】
【００３３】
【図１】本発明の実施の形態の発光素子駆動回路を含んだ携帯電話を示す図である。
【図２】本発明の実施の形態の発光素子駆動回路を含んだ発光素子駆動装置を示すブロック図である。
【図３】ＬＥＤ駆動制御信号と基準パルス信号とＬＥＤ駆動信号を示した図である。
【図４】従来技術の発光素子駆動装置についてのブロック図である。
【図５】他の実施の形態におけるＬＥＤ駆動制御信号と基準パルス信号とＬＥＤ駆動信号を示した図である。
【符号の説明】
【００３４】
５  携帯電話、７  液晶部、８  接続部、９  操作部、１０  発光素子駆動回路、２０  第２基板部、２２  ＬＥＤ用発振器、２４  パルス生成部、２６  昇圧回路、２８  ＬＥＤドライバ部、２９  第２基板、３０，３１  ケーブル部、４０  第１基板部、４２  第１基板、４６  制御用発振器、５０  ＬＥＤ駆動制御信号、５１  基準パルス信号、５２  ＬＥＤ駆動信号、５３  パルス生成部起動信号、１００，１５０  発光素子駆動装置。
【図１】
0005166001.tif 000002
【図２】
0005166001.tif 000003
【図３】
0005166001.tif 000004
【図４】
0005166001.tif 000005
【図５】
0005166001.tif 000006